(57)【要約】      （修正有）【課題】画像を所望のレイアウトで自由に表示することが可能な画像表示システム、フォトフレーム、画像表示装置、画像表示方法およびプログラムを提供する。【解決手段】基材の少なくとも一部に任意形状の窓部が形成され、当該窓部の形成位置に関する位置情報を含む識別情報１５１が格納されたフォトフレーム１００と、画像が表示される画像表示画面を有し、前記フォトフレームにより前記画像表示画面が遮蔽される画像表示装置２００と、前記フォトフレームから前記識別情報を読み取り、当該識別情報を前記画像表示装置に伝送する識別情報読取装置３００と、を備え、前記フォトフレームにおける前記窓部の形成位置に合わせて、画像が前記表示装置の前記画像表示画面に表示される。【選択図】図１
2009045139.tif 000002
【特許請求の範囲】
【請求項１】
基材の少なくとも一部に任意形状の窓部が形成され、当該窓部の形成位置に関する位置情報を含む識別情報が格納されたフォトフレームと、
画像が表示される画像表示画面を有し、前記フォトフレームにより前記画像表示画面が遮蔽される画像表示装置と、
前記フォトフレームから前記識別情報を読み取り、当該識別情報を前記画像表示装置に伝送する識別情報読取装置と、
を備え、
前記フォトフレームにおける前記窓部の形成位置に合わせて、画像が前記表示装置の前記画像表示画面に表示される
ことを特徴とする、画像表示システム。
【請求項２】
前記識別情報読取装置は、前記画像表示装置と一体に形成される
ことを特徴とする、請求項１に記載の画像表示システム。
【請求項３】
基材の少なくとも一部に形成された任意形状の窓部と、
前記基材中に設けられ、前記窓部の形成位置に関する位置情報を含む識別情報が格納された識別情報格納部と、
を備え、
画像表示装置の画像表示画面上に載置され、前記識別情報に基づいて前記窓部の形状に合わせて前記画像表示装置に画像を表示させる
ことを特徴とする、フォトフレーム。
【請求項４】
前記位置情報は、
前記フォトフレームにおいて前記窓部が形成された部分と、前記窓部が形成されていない部分との境界を表す情報である
ことを特徴とする、請求項３に記載のフォトフレーム。
【請求項５】
前記識別情報は、
前記画像表示画面に表示される画像に対応する画像データの所在位置を表すデータ所在情報を更に含む
ことを特徴とする、請求項３に記載のフォトフレーム。
【請求項６】
前記識別情報は、
前記画像表示画面に表示される画像に対応する画像データを更に含む
ことを特徴とする、請求項３に記載のフォトフレーム。
【請求項７】
前記識別情報は、
前記画像表示画面に表示される画像の表示制御に関する表示制御情報を更に含む
ことを特徴とする、請求項３に記載のフォトフレーム。
【請求項８】
前記識別情報格納部は、
前記フォトフレームに備えられたＩＣタグである
ことを特徴とする、請求項３に記載のフォトフレーム。
【請求項９】
前記識別情報格納部は、
前記フォトフレーム上に記録されたバーコードである
ことを特徴とする、請求項３に記載のフォトフレーム。
【請求項１０】
前記識別情報格納部は、
前記フォトフレームに記録された電子透かしである
ことを特徴とする、請求項３に記載のフォトフレーム。
【請求項１１】
前記識別情報格納部は、
前記基材に形成される凹凸の配列である
ことを特徴とする、請求項３に記載のフォトフレーム。
【請求項１２】
前記フォトフレームは、
加工が容易な基材を用いて形成される
ことを特徴とする、請求項３に記載のフォトフレーム。
【請求項１３】
前記フォトフレームは、紙素材で形成される
ことを特徴とする、請求項１２に記載のフォトフレーム。
【請求項１４】
前記フォトフレームは、樹脂素材で形成される
ことを特徴とする、請求項１２に記載のフォトフレーム。
【請求項１５】
基材の少なくとも一部に任意形状の窓部が形成され、当該窓部の形成位置に関する位置情報を含む識別情報が格納されたフォトフレームから提供される前記識別情報に基づいて画像を表示する画像表示装置であって、
前記フォトフレームから提供される前記識別情報を解析する識別情報解析部と、
前記フォトフレームによって遮蔽されるとともに画像が表示される画像表示画面に画像を表示する表示部と、
前記識別情報の解析結果に基づいて、前記表示部によって表示される画像の表示制御を行う表示制御部と、
前記表示部によって表示される前記画像に対応する画像データを取得する画像情報取得部と、
を備え、
前記フォトフレームに形成された前記窓部に合わせて前記画像を表示する
ことを特徴とする、画像表示装置。
【請求項１６】
前記画像情報取得部は、
前記識別情報に含まれる前記データ所在情報に基づいて前記画像データを取得し、
前記画像表示装置は、
取得した前記画像データを前記画像表示画面に表示する
ことを特徴とする、請求項１５に記載の画像表示装置。
【請求項１７】
前記画像表示装置は、
前記識別情報に含まれる前記画像データを前記画像表示画面に表示する
ことを特徴とする、請求項１５に記載の画像表示装置。
【請求項１８】
前記表示制御部は、
前記識別情報に含まれており、表示する画像の表示制御に関する表示制御情報に基づいて、前記画像表示画面に表示する画像を制御する
ことを特徴とする、請求項１５に記載の画像表示装置。
【請求項１９】
基材の少なくとも一部に任意形状の窓部が形成され、当該窓部の形成位置に関する位置情報を含む識別情報が格納されたフォトフレームから提供される前記識別情報に基づいて画像を画像表示画面に表示する画像表示方法であって、
前記フォトフレームから提供される前記識別情報を解析するステップと、
前記画像表示画面に表示する画像に対応する画像データを前記識別情報の解析結果に基づいて取得するステップと、
前記識別情報の解析結果に基づいて、前記画像データに対応する画像を前記窓部に合わせて表示するステップと、
を含むことを特徴とする、画像表示方法。
【請求項２０】
基材の少なくとも一部に任意形状の窓部が形成され、当該窓部の形成位置に関する位置情報を含む識別情報が格納されたフォトフレームから提供される前記識別情報に基づいて画像を画像表示画面に表示する画像表示装置を制御するコンピュータに、
前記フォトフレームから提供される前記識別情報を解析する機能と、
前記画像表示画面に表示する画像に対応する画像データを前記識別情報の解析結果に基づいて取得する機能と、
前記識別情報の解析結果に基づいて、前記画像データに対応する画像を前記窓部に合わせて表示する機能と、
を実現させるためのプログラム。
【発明の詳細な説明】
【技術分野】
【０００１】
本発明は、画像表示システム、フォトフレーム、画像表示装置、画像表示方法およびプログラムに関する。
【背景技術】
【０００２】
コンピュータの発達に伴い、コンピュータ上で絵画やグラフィックスが作製されることも多くなった。コンピュータ上で作製された絵画等を展示するために、当該絵画等を表示する表示部を備える電子額縁が提案されている（例えば、特許文献１参照。）。かかる電子額縁では、展示したい絵画等が記録された記録媒体を装填して表示部に表示させることで、絵画等を自由に展示することが可能となる。
【０００３】
【特許文献１】特公平７−４０９７８号公報
【発明の開示】
【発明が解決しようとする課題】
【０００４】
しかしながら、上記特許文献１に記載の電子額縁においては、表示される絵画等のレイアウトは表示部の形状に依存するため、絵画等の展示に際して表示部の形状とは異なるレイアウトを行うためには、所望のレイアウトで表示されるように絵画等のデータを直接加工して、新たな画像データを作成しなければならないという問題があった。
【０００５】
そこで、本発明は、このような問題に鑑みてなされたもので、その目的は、画像を所望のレイアウトで自由に表示することが可能な、新規かつ改良された画像表示システム、フォトフレーム、画像表示装置、画像表示方法およびプログラムを提供することにある。
【課題を解決するための手段】
【０００６】
上記課題を解決するために、本発明のある観点によれば、基材の少なくとも一部に任意形状の窓部が形成され、当該窓部の形成位置に関する位置情報を含む識別情報が格納されたフォトフレームと、画像が表示される画像表示画面を有し、前記フォトフレームにより前記画像表示画面が遮蔽される画像表示装置と、前記フォトフレームから前記識別情報を読み取り、当該識別情報を前記画像表示装置に伝送する識別情報読取装置と、を備え、前記フォトフレームにおける前記窓部の形成位置に合わせて、画像が前記画像表示装置の前記画像表示画面に表示される画像表示システムが提供される。
【０００７】
かかる構成によれば、フォトフレームには、基材の少なくとも一部に任意形状の窓部が形成され、当該窓部の形成位置に関する位置情報を含む識別情報が格納されており、識別情報読取装置は、上記フォトフレームに格納されている識別情報を読み取って画像表示装置へと伝送し、画像表示装置は、画像表示画面を遮蔽している上記フォトフレームに形成された窓部の形成位置に合わせて、画像を表示する。本発明に係る画像表示システムでは、フォトフレームに形成された窓部の形状に合わせて画像が表示されるため、画像を所望のレイアウトで自由に表示させることが可能となる。
【０００８】
なお、前記識別情報読取装置は、前記画像表示装置と一体に形成されてもよい。識別除法読取装置が画像表示装置と一体に形成されることで、識別情報読取装置の設置に要するスペースを省略することができ、画像表示システム全体の大きさを縮小することが可能となる。
【０００９】
上記課題を解決するために、本発明の別の観点によれば、基材の少なくとも一部に形成された任意形状の窓部と、前記基材中に設けられ、前記窓部の形成位置に関する位置情報を含む識別情報が格納された識別情報格納部と、を備え、画像表示装置の画像表示画面上に載置され、前記識別情報に基づいて前記窓部の形状に合わせて前記画像表示装置に画像を表示させるフォトフレームが提供される。
【００１０】
かかる構成によれば、窓部は、フォトフレームを構成する基材の少なくとも一部に形成されており、識別情報格納部は、基材中に設けられるとともに、窓部の形成位置に関する位置情報を含む識別情報が格納される。フォトフレームは、画像表示装置の画像表示画面上に載置され、識別情報に基づいて窓部の形状に合わせて画像表示装置に画像を表示させる。本実施形態に係るフォトフレームは、基材に形成された窓部の形状に合わせて画像表示装置に画像を表示させるため、窓部を所望のレイアウトで形成することで、画像表示装置に対して画像を所望のレイアウトで表示させることが可能である。
【００１１】
前記位置情報は、前記フォトフレームにおいて前記窓部が形成された部分と、前記窓部が形成されていない部分との境界を表す情報であってもよい。かかる構成によれば、位置情報は、フォトフレームに形成された窓部の個数や窓部の形成された部分を表す。このため、本発明に係るフォトフレームが載置された画像表示装置は、上記位置情報に基づいて窓部の形成されている箇所に画像を表示することができる。
【００１２】
前記識別情報は、前記画像表示画面に表示される画像に対応する画像データの所在位置を表すデータ所在情報を更に含んでもよい。かかる構成によれば、本発明に係るフォトフレームに記録された識別情報は、画像表示装置に表示させたい画像に対応する画像データの所在情報を含むことができる。その結果、本発明に係るフォトフレームが載置された画像表示装置は、上記識別情報に含まれるデータ所在情報に基づいて画像データを取得し、表示することができる。
【００１３】
前記識別情報は、前記画像表示画面に表示される画像に対応する画像データを更に含んでもよい。かかる構成によれば、本発明に係るフォトフレームに記録された識別情報は、画像表示装置に表示させたい画像に対応する画像データを含むことができる。その結果、本発明に係るフォトフレームが載置された画像表示装置は、上記識別情報に含まれる画像データに基づいて画像を表示することができる。
【００１４】
前記識別情報は、前記画像表示画面に表示される画像の表示制御に関する表示制御情報を更に含んでもよい。かかる構成によれば、本発明に係るフォトフレームに記録された識別情報は、画像表示装置における画像の表示方法や切替方法等に関する表示制御情報を含むことができる。その結果、本発明に係るフォトフレームの提供者は、当該フォトフレームが載置された画像表示装置の画像表示制御を、予め規定することができる。
【００１５】
前記識別情報格納部は、前記フォトフレームに備えられたＩＣタグであってもよく、前記フォトフレーム上に記録されたバーコードや電子透かしであってもよい。また、前記識別情報格納部は、前記基材に形成される凹凸の配列であってもよい。ここで、上記バーコードは、通常のバーコードだけでなく、２次元バーコードも含む。本発明に係るフォトフレームは、上記識別情報格納部として、ＲＦＩＤ（Ｒａｄｉｏ  Ｆｒｅｑｕｅｎｃｙ  ＩＤｅｎｔｉｆｉｃａｔｉｏｎ）の一種であるＩＣタグ、バーコード、電子透かし等を用いることが可能であり、また、識別情報格納部として、記録する識別情報を基材に形成した凹凸の配列とすることも可能である。これにより、記録すべき識別情報の容量や種類、また、フォトフレームの基材等に応じて、適切な識別情報格納部を選択することが可能である。
【００１６】
前記フォトフレームは、加工が容易な基材を用いて形成されてもよい。上記基材の例としては、例えば、紙素材や樹脂素材等を挙げることができる。これにより、窓部を容易に加工することが可能となるとともに、フォトフレームの製造に要するコストやフォトフレームに必要とされる強度等に応じて、基材を選択することができる。
【００１７】
上記課題を解決するために、本発明の更に別の観点によれば、基材の少なくとも一部に任意形状の窓部が形成され、当該窓部の形成位置に関する位置情報を含む識別情報が格納されたフォトフレームから提供される前記識別情報に基づいて画像を表示する画像表示装置であって、前記フォトフレームから提供される前記識別情報を解析する識別情報解析部と、前記フォトフレームによって遮蔽されるとともに画像が表示される画像表示画面に画像を表示する表示部と、前記識別情報の解析結果に基づいて、前記表示部によって表示される画像の表示制御を行う表示制御部と、前記表示部によって表示される前記画像に対応する画像データを取得する画像情報取得部と、を備え、前記フォトフレームに形成された前記窓部に合わせて前記画像を表示する画像表示装置が提供される。
【００１８】
かかる構成によれば、識別情報解析部は、フォトフレームから提供される識別情報を解析し、表示部は、フォトフレームによって遮蔽されるとともに画像が表示される画像表示画面に画像を表示し、表示制御部は、表示部によって表示される画像の表示制御を行い、画像情報取得部は、表示部によって表示される前記画像に対応する画像データを取得する。本発明に係る画像表示装置は、フォトフレームに形成された窓部に合わせて画像を表示するため、フォトフレームの作成者の意図に沿った画像の表示を行うことができる。
【００１９】
前記画像情報取得部は、前記識別情報に含まれる前記データ所在情報に基づいて前記画像データを取得し、本発明に係る画像表示装置は、取得した前記画像データを前記画像表示画面に表示してもよい。また、本発明に係る画像表示装置は、前記識別情報に含まれる前記画像データを前記画像表示画面に表示してもよい。かかる構成によれば、本発明に係る画像表示装置は、識別情報に含まれるデータ所在情報に基づいて取得した画像データや、識別情報に含まれる画像データそのものを表示する。これにより、フォトフレームの作成者が意図した画像を、任意の画像表示装置に表示することが可能となる。
【００２０】
前記表示制御部は、前記識別情報に含まれており、表示する画像の表示制御に関する表示制御情報に基づいて、前記表示部に前記画像を制御してもよい。かかる構成によれば、表示制御部は、識別情報に含まれている表示制御情報に基づいて、画像の表示制御を行う。これにより、任意の画像表示装置に対して、フォトフレームの作成者が意図した画像の表示制御方法を実行させることが可能となる。
【００２１】
上記課題を解決するために、本発明の更に別の観点によれば、基材の少なくとも一部に任意形状の窓部が形成され、当該窓部の形成位置に関する位置情報を含む識別情報が格納されたフォトフレームから提供される前記識別情報に基づいて画像を画像表示画面に表示する画像表示方法であって、前記フォトフレームから提供される前記識別情報を解析するステップと、前記画像表示画面に表示する画像に対応する画像データを前記識別情報の解析結果に基づいて取得するステップと、前記識別情報の解析結果に基づいて、前記画像データに対応する画像を前記窓部に合わせて表示するステップと、を含む画像表示方法が提供される。
【００２２】
かかる構成によれば、識別情報を解析するステップでは、フォトフレームから提供された識別情報を解析し、画像データを取得するステップでは、画像表示画面に表示する画像に対応する画像データを識別情報の解析結果に基づいて取得し、画像を表示するステップでは、識別情報の解析結果に基づいて、画像データに対応する画像を窓部に合わせて表示する。本発明に係る画像表示方法を用いることで、フォトフレームに形成された窓部に合わせて画像を画像表示装置に表示することが可能となるため、フォトフレームの作成者の意図に沿った画像の表示を行うことができる。
【００２３】
上記課題を解決するために、本発明の更に別の観点によれば、基材の少なくとも一部に任意形状の窓部が形成され、当該窓部の形成位置に関する位置情報を含む識別情報が格納されたフォトフレームから提供される前記識別情報に基づいて画像を画像表示画面に表示する画像表示装置を制御するコンピュータに、前記フォトフレームから提供される前記識別情報を解析する機能と、前記画像表示画面に表示する画像に対応する画像データを前記識別情報の解析結果に基づいて取得する機能と、前記識別情報の解析結果に基づいて、前記画像データに対応する画像を前記窓部に合わせて表示する機能と、を実現させるためのプログラムが提供される。
【００２４】
かかる構成によれば、コンピュータプログラムは、コンピュータが備える記憶部に格納され、コンピュータが備えるＣＰＵに読み込まれて実行されることにより、そのコンピュータを上記の画像表示装置として機能させる。また、コンピュータプログラムが記録された、コンピュータで読み取り可能な記録媒体も提供することができる。記録媒体は、例えば、磁気ディスク、光ディスク、光磁気ディスク、フラッシュメモリなどである。また、上記のコンピュータプログラムは、記録媒体を用いずに、例えばネットワークを介して配信してもよい。
【発明の効果】
【００２５】
本発明によれば、フォトフレームに形成された窓部の形状に合わせて画像を表示させることが可能であるため、フォトフレームに窓部を所望のレイアウトとなるように形成することで、画像を所望のレイアウトで自由に表示することが可能である。
【発明を実施するための最良の形態】
【００２６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２７】
（第１の実施形態）
＜画像表示システムについて＞
まず、図１〜図３を参照しながら、本発明の第１の実施形態に係る画像表示システムについて、詳細に説明する。図１〜図３は、本実施形態に係る画像表示システムを説明するための説明図である。
【００２８】
本実施形態に係る画像表示システム１０００は、図１に示したように、例えば、フォトフレーム１００と、画像表示装置２００と、識別情報読取装置３００と、を備える。
【００２９】
フォトフレーム１００は、所定の基材を用いて作製され、任意形状の窓部が少なくとも１つ以上形成される。また、フォトフレーム１００には、上記窓部の形成位置に関する位置情報（すなわち、基材上のどの位置に、どのような形状の窓部が形成されているかを表す情報）を含む識別情報１５１が格納されている。この識別情報１５１は、個々のフォトフレーム１００を特徴づけるＩＤとして利用される。本実施形態に係るフォトフレーム１００は、後述する画像表示装置２００の画像表示画面２５１を遮蔽するように、当該画像表示画面２５１上に配設される。このフォトフレーム１００については、以下で詳細に説明する。
【００３０】
画像表示装置２００は、フォトフレーム１００に格納されている識別情報１５１に基づいて、画像表示装置２００の画像表示画面２５１に画像を表示する。画像の表示に際しては、画像表示画面２５１上に載置されているフォトフレーム１００に形成された窓部の形状に合わせて、所定の画像を表示する。本実施形態に係る画像表示装置２００は、特定のものに限定されるわけではなく、ＣＲＴ（Ｃａｔｈｏｄｅ  Ｒａｙ  Ｔｕｂｅ）ディスプレイ装置、液晶ディスプレイ（Ｌｉｑｕｉｄ  Ｃｒｙｓｔａｌ  Ｄｉｓｐｌａｙ：ＬＣＤ）装置、プラズマディスプレイ（Ｐｌａｓｍａ  Ｄｉｓｐｌａｙ  Ｐａｎｅｌ：ＰＤＰ）装置、ＥＬ（Ｅｌｅｃｔｒｏ−Ｌｕｍｉｎｅｓｃｅｎｃｅ）ディスプレイ装置等の任意の画像表示装置を用いることが可能である。
【００３１】
画像表示装置２００は、フォトフレーム１００に格納されている識別情報１５１に基づいて所定の画像を表示するが、表示する画像は、識別情報１５１に含まれている画像データに対応する画像であってもよく、識別情報１５１に含まれている画像データの所在情報に基づいて、画像表示装置２００の外部機器から取得してきたものであってもよい。画像表示装置２００の外部機器は、例えば図１に示したように、通信網１０に接続されているサーバ１２やクライアント機器１４であってもよく、画像表示装置２００に直接接続されているコンピュータや家電機器等の機器であってもよい。また、本実施形態に係る画像表示装置２００は、ＤＬＮＡガイドラインに準拠するデジタルメディアサーバ（Ｄｉｇｉｔａｌ  Ｍｅｄｉａ  Ｓｅｒｖｅｒ：ＤＭＳ）であってもよく、デジタルメディアクライアント（Ｄｉｇｉｔａｌ  Ｍｅｄｉａ  Ｃｌｉｅｎｔ：ＤＭＣ）であってもよい。
【００３２】
識別情報読取装置３００は、フォトフレーム１００に格納されている識別情報１５１を読み取って、画像表示装置２００に伝送する。この識別情報読取装置３００は、画像表示装置２００と別体に形成されていてもよく、画像表示装置２００と一体に形成されていてもよい。また、識別情報読取装置３００は、上述の画像表示装置２００と接続されている各種の接続ケーブルを介して上記識別情報１５１を伝送してもよく、無線通信を介して上記識別情報１５１を伝送してもよい。
【００３３】
識別情報読取装置３００は、識別情報１５１が格納されている識別情報格納部に対応した装置である。例えば、識別情報１５１がＩＣタグに格納されている場合には、識別情報読取装置３００としてＩＣタグリーダを用いることが可能であり、識別情報１５１が例えばバーコードとして格納されている場合には、識別情報読取装置３００として、各種のバーコードリーダを用いることができる。また、識別情報１５１が電子透かしとしてフォトフレーム１００に記録されている場合には、識別情報読取装置３００として電子透かしを読み取る機器を用いることが可能である。更に、識別情報１５１が、フォトフレーム１００に形成された凹凸の配列である場合には、識別情報読取装置３００として、例えばフォトフレーム１００に形成されている凸部によってスイッチが入状態になるような各種のスイッチやソケット等を用いることが可能である。
【００３４】
なお、本実施形態に係る画像表示装置２００および識別情報読取装置３００については、以下で改めて詳細に説明する。
【００３５】
続いて、図２および図３を参照しながら、本実施形態に係る画像表示システムの一例について詳細に説明する。なお、図２および図３では、識別情報読取装置３００が画像表示装置２００と一体に形成されている（換言すれば、識別情報読取装置３００が画像表示装置２００に実装されている）場合について、説明している。しかしながら、本発明に係る画像表示システムは、下記の例に限定されるわけではない。
【００３６】
本実施形態に係るフォトフレーム１００は、例えば図２に示したように、画像表示装置２００の画像表示画面２５１上に着脱可能に載置される。図に示したように、フォトフレーム１００には所定形状の窓部が形成されており、フォトフレーム１００が載置された画像表示画面２５１は、フォトフレーム１００の窓部が形成されていない部分によって遮蔽される。すなわち、所定形状の窓部が形成されたフォトフレーム１００が配置されることにより、画像表示装置２００は、見かけ上、窓部の形状の画像表示画面を有することとなる。
【００３７】
また、フォトフレーム１００の上面には、図２に示したように、画面保護材１６１が配置されてもよい。この画面保護材１６１は、略透明な基材により形成されており、フォトフレーム１００および画像表示画面２５１を保護する役割を果たす。なお、画面保護材１６１は、フォトフレーム１００および画像表示画面２５１の内容を透かし見ることが可能であれば、所定の色に着色されていてもよい。
【００３８】
本実施形態に係るフォトフレーム１００は、２次加工が容易な基材、例えば、紙素材やプラスチック等の樹脂素材等で形成されており、窓部の形成位置や形状等を容易に変更することが可能である。そのため、例えば図３に示したように、異なる窓部が形成された複数のフォトフレーム１００を差し替えることで、画像を表示させる位置を変更することが可能である。
【００３９】
例えば、図３に示したフォトフレーム１００Ａでは、縦長の長方形の窓部が形成されており、この窓部が形成された位置を表す位置情報を含む識別情報１５１Ａがフォトフレーム１００Ａに格納されている。したがって、このフォトフレーム１００Ａを画像表示画面２５１に配置した場合には、縦長の長方形の窓部に合わせて所定の画像が表示されることとなる。
【００４０】
また、図３に示したフォトフレーム１００Ｂでは、２つの窓部が上下に配置されており、それぞれの窓部が形成された位置を表す位置情報を含む識別情報１５１Ｂがフォトフレーム１００Ｂに格納されている。したがって、このフォトフレーム１００Ｂを画像表示画面２５１に配置した場合には、それぞれの窓部の形状に合わせて、２種類の画像が表示されることとなる。また、２つの窓部が形成されている場合には、それぞれの窓部に表示する画像の切り替えタイミング等を制御して、２つの窓部に同時に画像を表示することも可能であり、一方の窓部に画像が表示されているときには他方の窓部に画像が表示されないようにすることも可能である。
【００４１】
また、図３に示したフォトフレーム１００Ｃでは、当該フォトフレーム１００Ｃの略中央部分に矩形の窓部が１つ形成されており、この窓部が形成された位置を表す位置情報を含む識別情報１５１Ｃがフォトフレーム１００Ｃに格納されている。したがって、このフォトフレーム１００Ｃを画像表示画面２５１に配置した場合には、フォトフレーム１００Ｃの略中央部分に形成された窓部に合わせて、所定の画像が表示されることとなる。
【００４２】
このように、本実施形態に係る画像表示システム１０００では、フォトフレーム１００のトリミングに合わせて画像が変化するとともに、フォトフレーム１００を物理的に変更することによって、画像表示画面に表示する画像や、画像の表示方法等を容易に変更することが可能である。
【００４３】
＜フォトフレーム１００について＞
続いて、図４Ａ〜図６を参照しながら、本実施形態に係るフォトフレーム１００について、詳細に説明する。図４Ａ〜図６は、本実施形態に係るフォトフレーム１００について説明するための説明図である。
【００４４】
本実施形態に係るフォトフレーム１００は、例えば図４Ａに示したように、基材１０１と、基材１０１に形成された窓部１０３と、個々のフォトフレーム１００を識別する識別情報が格納された識別情報格納部１０５と、からなる。
【００４５】
フォトフレーム１００の基材１０１は、２次加工が容易な基材（例えば、紙素材やプラスチック等の樹脂素材等）等を用いることが可能である。かかる基材を用いることで、本実施形態に係るフォトフレーム１００は、窓部１０３の形成位置や形状等を容易に変更することが可能である。
【００４６】
窓部１０３は、フォトフレーム１００の基材１０１に形成された切り欠き部であり、任意の形状に形成することが可能である。例えば図４Ａに示したフォトフレーム１００では、基材１０１の略中央部分に矩形状の窓部が１つ形成されている。ここで、フォトフレーム１００内に形成される窓部１０３の形成位置は、図４Ａに示した例に限定されるわけではなく、基材１０１の縁部に偏って形成されてもよい。また、フォトフレーム１００に形成される窓部１０３の個数も、図４Ａに示した例に限定されるわけではなく、任意の個数を形成することが可能である。
【００４７】
ここで、フォトフレーム１００の識別情報は、例えば、フォトフレーム１００に固有な識別番号のほかに、フォトフレーム１００の基材１０１に形成された窓部１０３の形成位置に関する情報を、位置情報として含有している。窓部１０３の形成位置に関する位置情報は、例えば、窓部１０３が形成されている部分と、窓部１０３が形成されていない部分との境界を表す情報である。この位置情報は、例えば、基材１０１に対してｘ軸およびｙ軸のような座標軸を対応付けて、上記境界の座標を記載することで表すことができる。本実施形態に係るフォトフレーム１００は、識別情報内に上記のような窓部１０３の位置情報を含有することで、フォトフレーム１００に形成されている窓部１０３の形状、大きさ、個数といった情報を、識別情報読取装置３００を介して画像表示装置２００に伝送することが可能となる。
【００４８】
上記識別情報は、窓部１０３の形成位置に関する位置情報に加えて、画像表示装置２００に表示させたい画像に対応する画像データの所在情報を含んでもよい。ここで、画像データの所在情報とは、例えば、画像データを管理する上でのＩＤや、画像データのＵＲＩ（Ｕｎｉｆｏｒｍ  Ｒｅｓｏｕｒｃｅ  Ｉｄｅｎｔｉｆｉｅｒ）等である。画像データの所在情報が識別情報に含まれることで、識別情報を受信した画像表示装置２００は、識別情報に含有されている画像データ所在情報に基づいて、表示する画像データを取得することが可能である。
【００４９】
上記識別情報は、窓部１０３の形成位置に関する位置情報に加えて、画像表示装置２００に表示させたい画像に対応する画像データを含んでもよい。画像データが識別情報に含まれることで、識別情報を受信した画像表示装置２００は、識別情報に含有される画像データに基づいて画像を表示することができる。
【００５０】
また、上記識別情報は、窓部１０３の形成位置に関する位置情報に加えて、画像表示装置２００の画像表示画面に表示される画像の表示制御に関する表示制御情報を含んでもよい。ここで、上記表示制御情報は、どのような画像をどのようなタイミングでどの窓部に表示させるかといった画像の表示制御に関する情報が記載されたものである。かかる表示制御情報が識別情報に含有されることで、画像表示装置２００において表示される画像の表示方法を、予め規定することが可能となる。
【００５１】
なお、本実施形態に係るフォトフレーム１００に格納される識別情報は、上述の例に限定されるわけではなく、上記情報以外の任意の情報を含有することが可能である。
【００５２】
識別情報格納部１０５は、上述のような各種情報を含む識別情報を格納する。図４Ａに示した例では、識別情報格納部１０５は、基材１０１の左下に存在するように記載されているが、識別情報格納部１０５の存在位置や識別情報格納部１０５の個数は上記の例に限定されるわけではなく、基材１０１の任意の箇所に任意の個数の識別情報格納部１０５を形成することが可能である。また、識別情報格納部１０５は、基材１０１の表面に存在してもよく、基材１０１の内部に包含されていてもよい。
【００５３】
識別情報格納部１０５は、例えば、フォトフレーム１００に設けられたＩＣタグであってもよく、フォトフレーム１００上に記録されたバーコードや電子透かしであってもよい。ここで、上記バーコードは、通常のバーコードだけでなく、２次元バーコードも含む。
【００５４】
また、識別情報格納部１０５は、例えば図４Ｂに示したように、基材１０１の少なくとも一部に形成される凹凸の配列であってもよい。図４Ｂに示した例では、基材１０１の左下の領域１０７に、凸部１０９が複数形成されており、凸部１０９が形成されている部分と形成されていない部分とで、凹凸部が形成されている。例えば、凸部１０９をデジタルデータの「１」に対応させ、凸部１０９が形成されていない部分をデジタルデータの「０」に対応させることで、識別情報を表すことが可能である。また、かかる凸部１０９によって、例えば識別情報読取装置３００に形成されているソケット等のスイッチを入状態にして、識別情報の伝達を行うことも可能である。なお、図４Ｂに示した例では、凹凸部は基材１０１の左下の領域のみに形成されているが、この例に限定されるわけではなく、基材１０１の全ての辺に形成されていてもよく、基材１０１の表面上に形成されていてもよい。
【００５５】
なお、本実施形態に係る識別情報格納部１０５は、記録すべき識別情報の容量や種類、また、フォトフレームの基材等に応じて、適切なものを選択することが可能である。また、本実施形態に係る識別情報格納部として、フォトフレーム１００に設けられたＩＣタグ、バーコード、電子透かし等とフォトフレーム１００に形成された凹凸部とを組み合わせて用いてもよい。
【００５６】
＜フォトフレーム１００に形成される窓部１０３について＞
続いて、図５を参照しながら、本実施形態に係るフォトフレーム１００に形成される窓部１０３について、詳細に説明する。例えば図５に示したように、本実施形態に係るフォトフレーム１００に形成される窓部１０３は、様々な形状を有してもよく、１つだけでなく複数個形成されてもよい。
【００５７】
例えば、図５（ａ）に示したように、基材１０１の略中央部分に横長の長方形の窓部１０３が形成されてもよく、図５（ｂ）に示したように、基材１０１の略中央部分に縦長の長方形の窓部１０３が形成されてもよい。また、図５（ｃ）に示したように、形状の異なる２種類の長方形の窓部１０３Ａ、１０３Ｂを基材１０１上に配置してもよく、図５（ｄ）に示したように、同一形状の長方形の窓部１０３Ａ〜１０３Ｄを基材１０１上に均等に配置してもよい。また、基材１０１に形成される窓部の形状は、矩形状に限定されるわけではなく、図５（ｅ）のように略円形状であってもよく、図５（ｆ）のようにハート型や星型であってもよい。
【００５８】
このように、本実施形態に係るフォトフレーム１００においては、任意の形状を有する窓部を、任意の個数形成することが可能であり、また、窓部のレイアウトも自由に設定することが可能である。このため、従来の電子額縁に比べて、画像のレイアウトを自由に設定することが可能であり、フレキシビリティに富んだ画像の表示を行うことが可能である。
【００５９】
＜フォトフレーム１００における窓部１０３以外の部分について＞
続いて、図６を参照しながら、本実施形態に係るフォトフレーム１００における窓部１０３以外の部分の利用法について、詳細に説明する。
【００６０】
本実施形態に係るフォトフレーム１００は、画像表示装置２００の画像表示画面２５１に配設して用いるため、基材１０１の窓部１０３が形成されていない部分には、自由に装飾を施すことが可能である。
【００６１】
例えば、本実施形態に係るフォトフレーム１００では、図６（ａ）に示したように、窓部１０３が形成されていない余白部分に、自由にイラスト等を描くことが可能であり、描いたイラストに着色を施すこともできる。また、フォトフレーム１００の基材１０１の厚みが厚い場合には、フォトフレーム１００自体に彫刻を施すことも可能である。更に、窓部１０３が形成されていない余白部分に、更に別のポスター等を添付することも可能である。
【００６２】
従って、フォトフレーム１００の窓部１０３に表示される画像と関連のあるイラスト等を余白部分に描くことも可能であり、窓部１０３に表示される画像を装飾する模様や文字等を余白部分に描くことも可能である。そのため、本実施形態に係るフォトフレーム１００をギフト用に用いることができる。また、窓部１０３に表示される画像に対応した画像データに直接データを追加するわけではないため、表示される画像と余白部分に記載される装飾等とは質感等が異なることとなり、従来の電子額縁にはない意匠効果を得ることが可能である。
【００６３】
また、本実施形態に係るフォトフレーム１００は、窓部１０３が形成されていない余白部分を有効活用することが可能であるため、例えば図６（ｂ）に示したように、余白部分を適宜着色するとともに宣伝用のキャッチコピー等を記載して、広告媒体として利用することが可能である。本実施形態に係るフォトフレーム１００は、識別情報に様々な情報を追加することにより、窓部１０３に表示される画像をも制御することが可能であるため、フォトフレーム１００の基材１０１として、紙素材や樹脂素材等の比較的コストが低い素材を用い、不特定多数の人々に配布して、従来にない広告媒体として活用できる。
【００６４】
更に、窓部１０３にインターネット等のネットワーク上に存在する画像を表示させることも可能であるため、ネットワーク上の画像データを変更することで窓部１０３に表示される画像を変更することもでき、ポスター等の一過性の紙媒体に比べて永続的に広告を更新することが可能となる。
【００６５】
以上説明したように、本実施形態に係るフォトフレーム１００では、任意の形状にくりぬかれたフォトフレーム本体を、画像表示装置２００の画像表示画面２５１にセットすることにより、任意の位置に画像を表示することが可能である。画像表示画面２５１を窓部１０３が形成されたフォトフレーム１００で覆うことにより、画像表示画面２５１にあたかも複数の画面があるかのように画像を表示することができ、画像表示装置２００に表情をつけることができる。
【００６６】
また、従来の電子額縁では、画像を表示・変更する場合には、直接データが記録された記録媒体を装着するか、画面上に表示されたユーザーインターフェースにより選択するしかなかったが、本実施形態に係るフォトフレーム１００では、フォトフレーム１００に関連付けられた画像の所在は、ローカルの記憶装置、ネットワーク上の記憶装置を問わないため、フォトフレーム自体を物理的に装着したり、差し替えたりすることで、表示され画像を指定したり、変更したりすることができる。
【００６７】
＜画像表示装置２００および識別情報読取装置３００の構成について＞
続いて、図７を参照しながら、本実施形態に係る画像表示装置２００および識別情報読取装置３００の構成について、詳細に説明する。図７は、本実施形態に係る画像表示装置２００および識別情報読取装置３００の構成を説明するためのブロック図である。
【００６８】
本実施形態に係る画像表示装置２００は、図７に示したように、例えば、識別情報解析部２０１と、表示制御部２０３と、画像情報取得部２０５と、表示部２０７と、記憶部２０９とを備える。
【００６９】
識別情報解析部２０１は、例えばＣＰＵ、ＲＯＭ、ＲＡＭ等で構成されており、後述する識別情報読取装置３００から受信した識別情報の内容を解析する。すなわち、識別情報解析部２０１は、識別情報の内容を解析して、識別情報に添付されている窓部の形成位置に関する位置情報以外の情報を抽出する。
【００７０】
識別情報解析部２０１は、識別情報に含まれている上記位置情報を、後述する表示制御部２０３へと伝送する。また、表示する画像に対応した画像データの所在情報が識別情報に含まれていた場合には、識別情報解析部２０１は、抽出した画像データの所在情報を、後述する画像情報取得部２０５へと伝送する。また、表示する画像に対応した画像データが識別情報に含まれていた場合には、識別情報解析部２０１は、抽出した画像データを、後述する表示部２０７へと伝送する。また、表示する画像の表示制御情報が識別情報に含まれていた場合には、識別情報解析部２０１は、抽出した表示制御情報を後述する表示制御部２０３に伝送する。
【００７１】
また、識別情報解析部２０１は、受信した識別情報や、この識別情報に含まれていた各種情報等を、記憶部２０９に記憶してもよい。
【００７２】
表示制御部２０３は、例えばＣＰＵ、ＲＯＭ、ＲＡＭ等で構成されており、識別情報に添付されている上記位置情報に基づいて、後述する表示部２０７に画像を表示させる。また、識別情報解析部２０１から表示制御情報が伝送された場合には、当該表示制御情報に基づいて画像表示画面に表示する画像の表示制御を行う。また、識別情報に表示制御情報が含まれていなかった場合には、任意の制御方法で画像の表示制御を行う。
【００７３】
画像情報取得部２０５は、例えばＣＰＵ、ＲＯＭ、ＲＡＭ、通信装置等で構成されており、識別情報解析部２０１から伝送された画像データの所在情報に基づいて、画像データを取得する。所在情報に記載されている画像データの位置が、ローカルの記憶部２０９である場合には、画像情報取得部２０５は、記憶部２０９から所定の画像データを取得する。また、所在情報に記憶されている画像データの位置が、通信網１０に接続されているサーバ１２やクライアント機器１４に該当する場合には、これらの機器から所定の画像データを取得する。また、所在情報に記憶されている画像データの位置が、本画像表示装置２００に直接接続されている他の機器上に該当する場合には、当該他の機器から所定の画像データを取得する。
【００７４】
また、識別情報に記録されているフォトフレーム１００の識別ＩＤとこの識別ＩＤに対応付けられた画像データの所在情報とが例えばルックアップテーブル等を用いて予め設定されており、この設定情報が記憶部２０９等に記憶されている場合には、当該設定情報に基づいて画像データの取得を行なってもよい。
【００７５】
画像情報取得部２０５が取得した画像データは、後述する表示部２０７に伝送される。また、画像情報取得部２０５は、取得した画像データを記憶部２０９に記憶してもよい。
【００７６】
表示部２０７は、例えばＣＰＵ、ＲＯＭ、ＲＡＭおよび表示パネル等で構成されており、表示制御部２０３から出力される制御命令に基づいて、画像表示装置２００の画像表示画面に画像を表示する。
【００７７】
記憶部２０９は、例えば、画像データや、画像表示装置２００が実行する各種プログラム等を記憶する。また、記憶部２０９は、これらのデータ以外にも、画像表示装置２００が、何らかの処理を行う際に保存する必要が生じた様々なパラメータや処理の途中経過等を、適宜記憶することが可能である。この記憶部２０９は、識別情報解析部２０１、表示制御部２０３、画像情報取得部２０５等が、自由に読み書きを行うことが可能である。
【００７８】
本実施形態に係る識別情報読取装置３００は、図７に示したように、例えば、識別情報読取部３０１と、識別情報送信部３０３とを備える。
【００７９】
識別情報読取部３０１は、例えばＣＰＵ、ＲＯＭ、ＲＡＭ等で構成されており、フォトフレーム１００に格納されている識別情報１５１を、識別情報読取装置３００に実装されている各種の読取手段（図示せず。）によって抽出する。なお、識別情報の読取手段としては、フォトフレーム１００で用いられている識別情報格納部に応じた読取装置等が用いられる。抽出された識別情報は、後述する識別情報送信部３０３へと伝送される。
【００８０】
識別情報送信部３０３は、例えばＣＰＵ、ＲＯＭ、ＲＡＭ、通信装置等で構成されており、識別情報読取部３０１から伝送された識別情報を、画像表示装置２００に伝送する。
【００８１】
以上、本実施形態に係る画像表示装置および識別情報読取装置の機能の一例を示した。上記の各構成要素は、汎用的な部材や回路を用いて構成されていてもよいし、各構成要素の機能に特化したハードウェアにより構成されていてもよい。また、各構成要素の機能を、ＣＰＵ等が全て行ってもよい。従って、本実施形態を実施する時々の技術レベルに応じて、適宜、利用する構成を変更することが可能である。
【００８２】
＜画像表示装置２００のハードウェア構成について＞
続いて、図８を参照しながら、本実施形態に係る画像表示装置のハードウェア構成について、詳細に説明する。図８は、本実施形態に係る画像表示装置のハードウェア構成を説明するためのブロック図である。
【００８３】
画像表示装置は、主に、ＣＰＵ（Ｃｅｎｔｒａｌ  Ｐｒｏｃｅｓｓｉｎｇ  Ｕｎｉｔ）９０１と、ＲＯＭ（Ｒｅａｄ  Ｏｎｌｙ  Ｍｅｍｏｒｙ）９０３と、ＲＡＭ（Ｒａｎｄｏｍ  Ａｃｃｅｓｓ  Ｍｅｍｏｒｙ）９０５と、ホストバス９０７と、ブリッジ９０９と、外部バス９１１と、インターフェース９１３と、入力装置９１５と、出力装置９１７と、ストレージ装置９１９と、ドライブ９２１と、接続ポート９２３と、通信装置９２５とを備える。
【００８４】
ＣＰＵ９０１は、演算処理装置および制御装置として機能し、ＲＯＭ９０３、ＲＡＭ９０５、ストレージ装置９１９、またはリムーバブル記録媒体９２７に記録された各種プログラムに従って画像表示装置内の動作全般またはその一部を制御する。ＲＯＭ９０３は、ＣＰＵ９０１が使用するプログラムや演算パラメータ等を記憶する。ＲＡＭ９０５は、ＣＰＵ９０１の実行において使用するプログラムや、その実行において適宜変化するパラメータ等を一次記憶する。これらはＣＰＵバス等の内部バスにより構成されるホストバス９０７により相互に接続されている。
【００８５】
ホストバス９０７は、ブリッジ９０９を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス９１１に接続されている。
【００８６】
入力装置９１５は、例えば、マウス、キーボード、タッチパネル、ボタン、スイッチおよびレバーなどユーザが操作する操作手段である。また、入力装置９１５は、例えば、赤外線やその他の電波を利用したリモートコントロール手段（いわゆる、リモコン）であってもよいし、画像表示装置の操作に対応した携帯電話やＰＤＡ等の外部接続機器９２９であってもよい。さらに、入力装置９１５は、例えば、上記の操作手段を用いてユーザにより入力された情報に基づいて入力信号を生成し、ＣＰＵ９０１に出力する入力制御回路などから構成されている。画像表示装置のユーザは、この入力装置９１５を操作することにより、画像表示装置に対して各種のデータを入力したり処理動作を指示したりすることができる。
【００８７】
出力装置９１７は、例えば、ＣＲＴディスプレイ装置、液晶ディスプレイ装置、プラズマディスプレイ装置、ＥＬディスプレイ装置およびランプなどの表示装置や、スピーカおよびヘッドホンなどの音声出力装置や、プリンタ装置、携帯電話、ファクシミリなど、取得した情報をユーザに対して視覚的または聴覚的に通知することが可能な装置で構成される。出力装置９１７は、例えば、本実施形態に係るフォトフレーム１００により指定された画像に係る画像信号を出力する。具体的には、表示装置は、画像データ等の各種情報をテキストまたはイメージで表示する。一方、音声出力装置は、音声データ等を音声に変換して出力する。
【００８８】
ストレージ装置９１９は、本実施形態にかかる画像表示装置の記憶部の一例として構成されたデータ格納用の装置であり、例えば、ＨＤＤ（Ｈａｒｄ  Ｄｉｓｋ  Ｄｒｉｖｅ）等の磁気記憶部デバイス、半導体記憶デバイス、光記憶デバイス、または光磁気記憶デバイス等により構成される。このストレージ装置９１９は、ＣＰＵ９０１が実行するプログラムや各種データ、および外部から取得した画像信号データなどを格納する。
【００８９】
ドライブ９２１は、記憶媒体用リーダライタであり、画像信号処理装置に内蔵、あるいは外付けされる。ドライブ９２１は、装着されている磁気ディスク、光ディスク、光磁気ディスク、または半導体メモリ等のリムーバブル記録媒体６２７に記録されている情報を読み出して、ＲＡＭ９０５に出力する。また、ドライブ９２１は、装着されている磁気ディスク、光ディスク、光磁気ディスク、または半導体メモリ等のリムーバブル記録媒体９２７に記録を書き込むことも可能である。リムーバブル記録媒体６２７は、例えば、ＤＶＤメディア、ＨＤ−ＤＶＤメディア、Ｂｌｕ−ｒａｙメディア、コンパクトフラッシュ（登録商標）（ＣｏｍｐａｃｔＦｌａｓｈ：ＣＦ）、メモリースティック、または、ＳＤメモリカード（Ｓｅｃｕｒｅ  Ｄｉｇｉｔａｌ  ｍｅｍｏｒｙ  ｃａｒｄ）等である。また、リムーバブル記録媒体６２７は、例えば、非接触型ＩＣチップを搭載したＩＣカード（Ｉｎｔｅｇｒａｔｅｄ  Ｃｉｒｃｕｉｔ  ｃａｒｄ）または電子機器等であってもよい。
【００９０】
接続ポート９２３は、例えばＵＳＢ（Ｕｎｉｖｅｒｓａｌ  Ｓｅｒｉａｌ  Ｂｕｓ）ポートや、ｉ．Ｌｉｎｋ等のＩＥＥＥ１３９４ポート、ＳＣＳＩ（Ｓｍａｌｌ  Ｃｏｍｐｕｔｅｒ  Ｓｙｓｔｅｍ  Ｉｎｔｅｒｆａｃｅ）ポート、ＲＳ−２３２Ｃポート、光オーディオ端子等の、機器を画像表示装置に直接接続するためのポートである。この接続ポート９２３に外部接続機器９２９を接続することで、画像表示装置は外部接続機器９２９から直接画像信号データを取得したり、外部接続機器９２９に画像信号データを提供したりする。
【００９１】
通信装置９２５は、例えば、通信網１０に接続するための通信デバイス等で構成された通信インターフェースである。通信装置９２５は、例えば、有線または無線ＬＡＮ（Ｌｏｃａｌ  Ａｒｅａ  Ｎｅｔｗｏｒｋ）、Ｂｌｕｅｔｏｏｔｈ、またはＷＵＳＢ（Ｗｉｒｅｌｅｓｓ  ＵＳＢ）用の通信カード、光通信用のルータ、ＡＤＳＬ（Ａｓｙｍｍｅｔｒｉｃ  Ｄｉｇｉｔａｌ  Ｓｕｂｓｃｒｉｂｅｒ  Ｌｉｎｅ）用のルータ、または、各種通信用のモデム等である。この通信装置９２５は、例えば、インターネットや他の通信機器との間で画像信号等を送受信することができる。また、通信装置９２５に接続される通信網１０は、有線または無線によって接続されたネットワーク等により構成され、例えば、インターネット、家庭内ＬＡＮ、赤外線通信、または衛星通信等であってもよい。
【００９２】
以上説明した構成により、画像表示装置は、多様な情報源から画像信号に関する情報を取得し、接続ポート９２３や通信網１０に接続された他の外部接続機器９２９、サーバ１２、クライアント機器１４に対して画像信号に関する情報を伝送することが可能になると同時に、外部接続機器９２９、サーバ１２、クライアント機器１４等から画像信号に関する情報を受信したり、外部接続機器９２９、サーバ１２、クライアント機器１４等が保持する画像信号に関する情報を取得したりすることができる。さらに、画像表示装置は、リムーバブル記録媒体９２７を用いて画像信号に関する情報を持ち出すこともできる。
【００９３】
なお、本実施形態に係る識別情報読取装置３００のハードウェア構成は、画像表示装置２００のハードウェア構成と実質的に同一であるので、説明を省略する。
【００９４】
以上、本実施形態に係る画像表示装置および識別情報読取装置の機能を実現可能なハードウェア構成の一例を示した。上記の各構成要素は、汎用的な部材を用いて構成されていてもよいし、各構成要素の機能に特化したハードウェアにより構成されていてもよい。従って、本実施形態を実施する時々の技術レベルに応じて、適宜、利用するハードウェア構成を変更することが可能である。
【００９５】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００９６】
【図１】本発明の一実施形態に係る画像表示システムを説明するための説明図である。
【図２】同実施形態に係る画像表示システムを説明するための説明図である。
【図３】同実施形態に係る画像表示システムを説明するための説明図である。
【図４Ａ】同実施形態に係るフォトフレームを説明するための説明図である。
【図４Ｂ】同実施形態に係るフォトフレームを説明するための説明図である。
【図５】同実施形態に係るフォトフレームを説明するための説明図である。
【図６】同実施形態に係るフォトフレームを説明するための説明図である。
【図７】同実施形態に係る画像表示装置および識別情報読取装置の構成を説明するためのブロック図である。
【図８】同実施形態に係る画像表示装置のハードウェア構成を説明するためのブロック図である。
【符号の説明】
【００９７】
１００    フォトフレーム
１０１    基材
１０３    窓部
１０５    識別情報格納部
１０９    凹凸部
１５１    識別情報
１６１    画面保護材
２００    画像表示装置
２０１    識別情報解析部
２０３    表示制御部
２０５    画像情報取得部
２０７    表示部
２０９    記憶部
２５１    画像表示画面
３００    識別情報読取装置
３０１    識別情報読取部
３０３    識別情報送信部
【図１】
2009045139.tif 000003
【図２】
2009045139.tif 000004
【図３】
2009045139.tif 000005
【図４Ａ】
2009045139.tif 000006
【図４Ｂ】
2009045139.tif 000007
【図５】
2009045139.tif 000008
【図６】
2009045139.tif 000009
【図７】
2009045139.tif 000010
【図８】
2009045139.tif 000011